(57)【要約】【課題】電磁波用途の外部機器へ電磁波を出力するとともに、電磁波を電力としても利用する電気機器を提供することを目的とする。【解決手段】入力された電磁波を整流し電力として出力する第３の出力端を有する整流部と、電磁波を入力する入力端と整流部に電磁波を出力する第２の出力端と電磁波用途の外部機器に電磁波を出力する第１の出力端とを有する切替部と、切替部の切替を制御する制御部とを有する電気機器とする。また、電磁波用途の外部機器と電気機器を使用する電気システムとする。【選択図】図１
2014195368.tif 000002
【特許請求の範囲】
【請求項１】
入力された電磁波を整流し電力として出力する第３の出力端を有する整流部と、
前記電磁波を入力する入力端と前記整流部に前記電磁波を出力する第２の出力端と電磁波用途の外部機器に前記電磁波を出力する第１の出力端とを有する切替部と、
前記切替部の切替を制御する制御部とを有する電気機器。
【請求項２】
前記入力端に前記電磁波が入力されるとともに、
前記制御部は、
前記入力端と前記第１の出力端とを接続する場合は、前記入力端子と前記第２の出力端との接続を遮断し、
前記入力端と前記第２の出力端とを接続する場合は、前記入力端子と前記第１の出力端との接続を遮断する請求項１に記載の電気機器。
【請求項３】
前記入力端に前記電磁波が入力されるとともに、  
前記切替部は、前記電磁波用途の外部機器に電力および電磁波を出力する第４の出力端を有し、
前記制御部は、
前記入力端と前記第２の出力端との接続を遮断するとともに前記入力端と前記第１の出力端と前記第４の出力端とを接続する第１の出力モードと、
前記入力端と前記第４の出力端との接続を遮断するとともに前記入力端と前記第２の出力端とを接続し、前記第３の出力端と第４の出力端とを接続する第２の出力モードとを切り替える請求項１又は２に記載の電気機器。
【請求項４】
入力端に電磁波が入力されるとともに、
前記切替部は、前記電磁波用途の外部機器に電力および電磁波を出力する第４の出力端を有し、
前記制御部は、
前記入力端と前記第２の出力端との接続を遮断するとともに前記入力端と前記第１の出力端と前記第４の出力端とを接続する第１の出力モードと、
前記入力端と前記第４の出力端との接続および前記入力端と前記第２の出力端との接続を遮断するとともに前記第３の出力端と前記第４の出力端とを接続する第３の出力モードとを切り替える請求項１に記載の電気機器。
【請求項５】
前記整流部は電力を蓄積する電力蓄積部を有し、
前記制御部は、前記電力蓄積部に蓄積された蓄積電力を検出する蓄積電力検出部が出力する蓄積電力情報に基づいて、前記電力蓄積部の入出力端を前記第３の出力端と接続する第４の出力モードと、前記電磁波を整流するとともに整流した電力を前記第３の出力端に接続する第５の出力モードとを切り替える請求項１ないし４のいずれか一項に記載の電気機器。
【請求項６】
前記制御部は、前記第４の出力モードを選択すると同時に、前記入力端と前記第１の出力端とを接続するとともに前記入力端と前記第２の出力端との接続を遮断する請求項５に記載の電気機器。
【請求項７】
前記第１の出力端を、前記電磁波用途の外部機器へ前記電磁波を出力する端子とし、
前記第３の出力端を、前記電磁波用途の外部機器へ電力を供給する端子とする請求項１または２に記載の電気機器。
【請求項８】
電磁波用途の外部機器と、請求項１ないし７のいずれか一項に記載の電気機器とを有する電気システム。
【発明の詳細な説明】
【技術分野】
【０００１】
本発明は、電磁波を入力とする電気機器および電気システムに関するものである。
【背景技術】
【０００２】
従来、電磁波をその用途に供し、入力し利用する機器に於いては、発電の用途により発電された外部電力を、その専用端子から入力し駆動電力として供している。近年、その駆動電力に対し省電力が謳われてきている。
【０００３】
特許文献１では、省電力を実現する為に、電磁波をその用途に供する機器で実行する機能を選択し、電力消費量を抑える方法が開示されている。
【０００４】
特許文献２では、公共放送等の電磁波を入力し、その信号を整流し電力に変換する整流部を有する装置について開示されている。電磁波を入力とするため、電磁波が受信出来る環境であれば、常に電力の供給が可能である。
【０００５】
特許文献３では、自身による信号送信時の電磁波を入力し、その信号を整流し電力に変換し回収する整流部を有する送受信機について開示されている。
【０００６】
しかし、電磁波をその用途に供する機器に於いては、電力削減の機能としても外部入力電源を供するため、電力使用量の削減に限界がある。
【０００７】
電磁波を入力し、整流して電力に変換する整流部を設けた機器から出力される電力を、電磁波をその用途に供する機器に利用すれば、外部入力電源の使用量を抑えることが出来る。
【０００８】
しかしながら、電磁波をその用途に供する機器と、電磁波を整流部に供する機器に於いては、入力端を各々有する為、電磁波入力端は、個別に必要となる。
【０００９】
２つの機器を１つにまとめれば、電磁波をその用途に供する機器も、電磁波を整流部に供する機器も、電磁波の入力は１つで済む。
【００１０】
しかしながら、１つにまとめた場合、同時に信号を与えることになり、電磁波の信号レベルの低下を招くことが懸念される。場合によっては、電磁波の信号レベルの低下により、機器にてその用途に供する場合、機能出来ないことも考えられる。その場合、信号を増幅することになり電力使用量の増加につながりかねない。
【００１１】
また、特許文献３に於ける送信信号を回収する送受信機においては、送信した信号をそのまま外部機器に出力する端子は存在しない。送信信号は一体化した送受信機からの信号なので、受信した信号自体をそのまま外部に送信することはない。
【００１２】
送受信機は、送信、受信が一体となっている機器であるので、一体化されていない場合は送受信機機能を満足することができない。
【先行技術文献】
【特許文献】
【００１３】
【特許文献１】特開２０１０−２７３２３５号公報
【特許文献２】特開２００３−８８００５号公報
【特許文献３】特開２０１１−２０５７９３号公報
【発明の概要】
【発明が解決しようとする課題】
【００１４】
そこで、本発明では、電磁波用途の外部機器へ電磁波を出力するとともに、電磁波を電力としても利用可能な電気機器を提供することを目的とする。
【課題を解決するための手段】
【００１５】
本発明は、入力された電磁波を整流し電力として出力する第３の出力端を有する整流部と、電磁波を入力する入力端と整流部に電磁波を出力する第２の出力端と電磁波用途の外部機器に電磁波を出力する第１の出力端とを有する切替部と、切替部の切替を制御する制御部とを有する電気機器とする。
【００１６】
本発明によれば、電磁波用途の外部機器へ電磁波を出力するとともに、電磁波を電力としても利用可能とすることが可能となっている。
【００１７】
本発明は、入力端に電磁波が入力されるとともに、制御部は、入力端と第１の出力端とを接続する場合は、入力端子と第２の出力端との接続を遮断し、入力端と第２の出力端とを接続する場合は、入力端子と第１の出力端との接続を遮断する電気機器としてもよい。
【００１８】
本発明は、入力端に電磁波が入力されるとともに、切替部は、電磁波用途の外部機器に電力および電磁波を出力する第４の出力端を有し、制御部は、入力端と第２の出力端との接続を遮断するとともに入力端と第１の出力端と第４の出力端とを接続する第１の出力モードと、入力端と第４の出力端との接続を遮断するとともに入力端と第２の出力端とを接続し、第３の出力端と第４の出力端とを接続する第２の出力モードとを切り替える電気機器としてもよい。
【００１９】
本発明は、入力端に電磁波が入力されるとともに、切替部は、電磁波用途の外部機器に電力および電磁波を出力する第４の出力端を有し、制御部は、入力端と第２の出力端との接続を遮断するとともに入力端と第１の出力端と第４の出力端とを接続する第１の出力モードと、入力端と第４の出力端との接続および入力端と第２の出力端との接続を遮断するとともに、第３の出力端と第４の出力端とを接続する第３の出力モードとを切り替える電気機器としてもよい。
【００２０】
本発明は、整流部は電力を蓄積する電力蓄積部を有し、制御部は、電力蓄積部に蓄積された蓄積電力を検出する蓄積電力検出部が出力する蓄積電力情報に基づいて、電力蓄積部の入出力端を第３の出力端と接続する電気機器としてもよい。
【００２１】
本発明は、第１の出力端を、電磁波用途の外部機器へ電磁波を出力する端子とし、第３の出力端を、電磁波用途の外部機器へ電力を供給する端子とする電気機器としてもよい。
【００２２】
本発明は、電磁波用途の外部機器と、電気機器とを有する電気システムとしてもよい。
【発明の効果】
【００２３】
本発明によれば、電磁波用途の外部機器へ電磁波を出力するとともに、電磁波を電力としても利用可能な電気機器を提供するので、電磁波を有効に電力として利用できる。
【図面の簡単な説明】
【００２４】
【図１】本実施形態１に係る電気機器の概略構成を示す説明図である。
【図２】本実施形態２に係る電気機器の概略構成を示す説明図である。
【図３】本実施形態３に係る電気機器の概略構成を示す説明図である。
【図４】本実施形態５に係る電気機器の概略構成を示す説明図である。
【図５】本実施形態１乃至４に係る電気機器を有する電気システムの概略構成を示す説明図である。
【図６】本実施形態５に係る電気機器を有する電気システムの概略構成を示す説明図である。
【図７】本実施形態１乃至４に係る電気機器に用いられる整流部の内部概略構成を示す説明図である。
【発明を実施するための形態】
【００２５】
以下、各図を参照しながら本発明に係わる実施形態について説明する。各実施形態に於いて、同一符号は同一部材を示すものとする。重複する説明は割愛する。
【００２６】
図１は、本実施形態１に係る電気機器の概略構成を示す説明図である。図１に示すように、電気機器１０１は、アンテナ１０２からの電磁波を入力する入力端１０６と第１の出力端１０７と第２の出力端１０８とを有する切替部１０３と、電磁波をＤＣ（直流）電力に整流し、ＤＣ電力を出力する第３の出力端１０９を有する整流部１０４と、切替部１０３の出力先の切り替えを制御し、整流部１０４の出力を制御する制御部１０５とを主要構成として備えている。ここで、電磁波は、通信、放送、データ通信波長帯域を含むものでもよい。
【００２７】
電気機器１０１は、電磁波が入力端１０６に入力するものとして以下に説明する。制御部１０５は、外部機器３０１からの第１の制御信号を信号線２０１を介して受信する。外部機器３０１は、電磁波を利用する電気機器であり、例えばＴＶ、携帯機器などが挙げられる。外部機器３０１は、使用条件によって、電磁波を利用する電気機器として利用する場合には、電磁波を外部機器３０１に直接入力する第１の制御信号を、電気機器として利用しない場合、例えばスリープモードなので待機状態にある場合は、電磁波を整流部１０４に入力する第１の制御信号を制御部１０５に出力する。ここで、制御部１０５は、信号線２０１を介して切替部１０３の出力先の切り替えを制御する第１の制御信号を受信すると、第１の制御信号に従って切替部１０３の制御を実行する。第１の制御信号が、電磁波を外部機器３０１側に接続するという制御信号であれば、切替部１０３の出力先を第１の出力端１０７側に切り替える。第１の制御信号が、電磁波を整流部１０４側に接続するという制御信号であれば、切替部１０３の出力先を第２の出力端１０８側に切り替える。従って、切替部１０３は制御部１０５からの第１の制御信号に基づいて、入力する電磁波を外部機器３０１側および整流部１０４のいずれか一方に出力することが可能となっている。なお、外部機器３０１が出力する外部機器３０１の使用状態信号を制御部１０５が受信する場合は、使用状態信号に応じて制御部１０５が第１の制御信号を作成し出力しても良い。ここで、使用状態信号とは、外部機器３０１が待機状態にあるか電磁波用途の電気機器３０１として使用するかなどの外部機器３０１の状態を指す信号である。ここで、外部機器３０１はひとつとして説明したが、これに限るものではない。外部機器３０１が待機状態にある場合に外部機器３０１以外の第２の外部機器（図示せず）に第３の出力端子１０９からＤＣ電力を出力するように構成してもよい。
【００２８】
ここで、入力端１０６は、公共電波の電磁波を受信するアンテナ１０２に接続されている。なお、入力端１０６は公共用の電磁波を入力することに限るものではなく、私用の電磁波を入力するものであっても良く、電磁波を入力するものであれば、その形態は特に問われるものいではない。
【００２９】
図７は電気機器に用いられる整流部１０４の内部概略構成を示す説明図である。整流部１０４は、切替部１０３を介して入力されたアンテナ１０２からの電磁波をＤＣ（直流）電力に整流する。
【００３０】
図７に示すように、整流部１０４は、電磁波等の高周波信号を整流・平滑するための電子部品および電力蓄積部を備えている。ここで、電力蓄積部は第１の二次電池１と第２の二次電池２を備えている。
【００３１】
ＤＣに整流されたＤＣ電力は、整流部１０４内にある電力蓄積部に電力を蓄電しながら、電力蓄積部に蓄積された蓄積電力を検出する蓄積電力検出部が出力する蓄積電力情報に基づく第２の制御信号に基づいて、第３の出力端１０９からＤＣ電力を出力することが可能となっている。すなわち、制御部１０５は、電力蓄積部に蓄積された蓄積電力を検出する蓄積電力検出部が出力する蓄積電力情報に基づいて、電力蓄積部が備える第１の二次電池１と接続される入出力端４０７と出力端４０９とを接続し、または、第２の二次電池２と接続される入出力端４１０と出力端４１２とを接続し、二次電池１または二次電池２を第３の出力端１０９と接続する（第４の出力モードと称する）ことが可能となっている。従って、例えば、第１の二次電池１は十分に電力が蓄積されている場合、第１の二次電池１の入出力端４０７と第３の出力端１０９を接続する。なお、蓄積電力検出部は二次電池１および二次電池２の両端間の電圧を検出し、二次電池１および二次電池２の充放電状態を検出する。
【００３２】
ここで、電力蓄積部には２以上の二次電池が並列に存在することが好ましく、それぞれの二次電池に対応する出力端（４０９、４１２）同士は接続され、共通の出力端４１３を有している。また、第１の二次電池１は入出力端４０７に接続され、入出力端４０７は入力端４０８と出力端４０９とに接続可能となっている。第２の二次電池２は入出力端４１０に接続され、入出力端４１０は入力端４１１と出力端４１２とに接続可能となっている。従って、第１の二次電池１は入力端４０８と出力端４０９とに、第２の二次電池２は入力端４１１と出力端４１２とに、それぞれ接続可能となっている。また、共通の出力端４１３から第１の二次電池１および第２の二次電池２に蓄積された電力を出力することが可能となっている。なお、共通の出力端４１３は第３の出力端１０９に接続されている。また、整流部１０４は出力端４０４を有し、第１の二次電池１の入力端４０８および第２の二次電池２の入力端４１１に接続可能となっている。また、整流部１０４の出力端４０４は第３の出力端１０９と接続可能となっている。従って、制御部１０５は電力蓄積部からの情報が、第１の二次電池１が電力供給不可能あれば、第２の制御信号に基づいて整流部の出力端４０４と第１の二次電池１に対応する入出力端４０７を接続することが可能となっている。また、制御部１０５は電力蓄積部からの情報が、第２の二次電池２が電力供給可能であれば、第２の制御信号に基づいて第２の二次電池２に対応する出力端４１２と第２の二次電池２を接続し、蓄積された電力を出力することが可能となっている。第１および第２の二次電池（１、２）が電力供給不可能であれば、第２の制御信号に基づいて整流部の出力端４０４と第３の出力端１０９を接続し、整流された電力を直接出力することが可能となっている（第５の出力モードと称する）。従って、制御部１０５は、図１に示されるような電磁波を外部機器３０１の用途として利用しない場合に、第１の制御信号に基づいて切替部１０３に入力された電磁波を整流部１０４に出力するとともに、第２の制御信号に基づいて整流部１０４からＤＣ電力を出力する制御を行うので、電気機器１０１はＤＣ電力を出力することが可能となっている。従って、切替部１０３を制御する第１及び第２の制御信号に基づいて、電磁波用途の外部機器３０１へ電磁波を出力するとともに、電磁波を電力としても利用可能な電気機器とすることが可能となっている。
【００３３】
図２は、本実施形態２に係る電気機器の概略構成を示す説明図である。図２に示すように、電気機器１０１は、アンテナ１０２からの電磁波を入力する入力端１０６と、第１の出力端１０７及び第２の出力端１０８とを有する切替部１０３と、第１の出力端１０７と接続された入力端１１１と、第３の出力端１０９と接続された入力端１１２と、第４の出力端１１０とを有する切替部１１３と、電磁波をＤＣ（直流）電力に整流し、ＤＣ電力を出力する第３の出力端１０９を有する整流部１０４と、切替部１０３の出力先及び、切替部１１３の入力先の切り替えを制御し、整流部１０４の出力を制御する制御部１０５と、を主要構成として備えている。
【００３４】
電気機器１０１は、電磁波が入力端１０６に入力するものとして以下に説明する。制御部１０５は、外部機器３０１からの第１の制御信号を信号線２０１を介して受信する。外部機器３０１は、電磁波を利用する電気機器であり、例えばＴＶ、携帯機器などが挙げられる。外部機器３０１は、使用条件によって、電磁波を利用する電気機器として利用する場合には、電磁波を外部機器３０１に直接入力する第１の制御信号を、電気機器として利用しない場合、例えばスリープモードなので待機状態にある場合は、電磁波を整流部１０４に入力する第１の制御信号を制御部１０５に出力する。ここで、制御部１０５は、信号線２０１を介して、切替部１０３の出力先の切り替えを制御する第１の制御信号を受信すると、第１の制御信号に従って切替部１０３の制御を実行する。第１の制御信号が、電磁波を外部機器３０１側に接続するという制御信号であれば、切替部１０３の出力先を第１の出力端１０７側に切り替える。第１の制御信号が、電磁波を整流部１０４側に接続するという制御信号であれば、切替部１０３の出力先を第２の出力端１０８側に切り替える。さらに制御部１０５は、信号線２０１を介して、切替部１１３の入力先の切り替えを制御する第３の制御信号を受信すると、第３の制御信号に従って切替部１１３の制御を実行する。第３の制御信号が、電磁波を外部機器３０１側に接続するという制御信号であれば、切替部１１３の入力先を入力端１１１側に切り替える。第３の制御信号が、整流部１０４の電力蓄積部に蓄積された電力を外部機器３０１側に供給するという制御信号であれば、切替部１１３の入力先を第３の出力端１０９に接続する入力端１１２側に切り替える。従って、切替部１０３、１１３は制御部１０５からの第１及び第３の制御信号に基づいて、入力する電磁波を外部機器側および整流部１０４のいずれか一方に出力すると共に、整流部１０４に蓄積された電力を切替部１１３の第４の出力端１１０を経由して外部機器３０１側に出力することが可能となっている。また、外部機器３０１側に接続する切替部１１３を有することにより、外部機器３０１側への電磁波出力又は、ＤＣ電力出力を切替部１１３で切り替えて供給することにより、外部機器３０１に接続する第４の出力端１１０を共有化することが可能となっている。ここでは、電力蓄積部に電力が蓄積されているとして説明した。従って、第３の制御信号によって、切替部１１３の切替を実行し、電力蓄積部からの電力を第４の端子１１０から出力可能とし、第２の制御信号によって、電力蓄積部からのＤＣ電力を第３の端子１０９から出力することになる。以下に、電力蓄積部に電力が蓄積されていない場合についても電力を出力する場合について説明する。
【００３５】
外部機器３０１に対して、電磁波の入力端１０６と第２の出力端１０８との接続を遮断するとともに入力端１０６と第１の出力端１０７とを接続し、且つ、入力端１１１と第４の出力端１１０とを接続して外部機器３０１に対して電磁波を出力する第１の出力モードと、電磁波の入力端１０６と第４の出力端１１０との接続を遮断するとともに入力端１０６と第２の出力端１０８とを接続し、且つ、入力端１１２と第４の出力端１１０とを接続して外部機器３０１に対して電力を出力する第２の出力モードとを、第１及び第３の制御信号を用いて切り替えることにより、外部機器３０１に電磁波又は電力を出力する電気機器として使用することも可能である。この場合、電力蓄積部に電力が蓄積されていない場合であっても、整流部１０４から電力を出力することが可能である。すなわち、図７において、制御部１０５が、第２の制御信号によって、整流部３０１の出力端４０４と第３の接続端１０９とを直接接続するように整流部３０１の切替を実行すればよい。従って、切替部１０３、１１３を制御する第１及び第３の制御信号に基づいて、電磁波用途の外部機器３０１へ電磁波を出力するとともに、電磁波を電力としても利用可能な電気機器とすることが可能になっている。なお、外部機器３０１が出力する外部機器３０１の使用状態信号を制御部１０５が受信する場合は、使用状態信号に応じて制御部１０５が第１の制御信号を作成し出力しても良い。ここで、使用状態信号とは、外部機器３０１が待機状態にあるか電磁波用途の電気機器３０１として使用するかなどの外部機器３０１の状態を指す信号である。ここで、外部機器３０１はひとつとして説明したが、これに限るものではない。外部機器３０１が待機状態にある場合に外部機器３０１以外の第２の外部機器（図示せず）に第３の出力端子１０９からＤＣ電力を出力するように構成してもよい。
【００３６】
図３は、本実施形態３に係る電気機器の概略構成を示す説明図である。図３に示すように、電気機器１０１は、アンテナ１０２からの電磁波を入力する入力端１０６と、第１の出力端１０７、第２の出力端１０８及び、どこにも接続されていないオープン端１１４とを有する切替部１０３と、第１の出力端１０７と接続された入力端１１１と、第３の出力端１０９と接続された入力端１１２と、第４の出力端１１０とを有する切替部１１３と、電磁波をＤＣ電力に整流し、ＤＣ電力を出力する第３の出力端１０９を有する整流部１０４と、切替部１０３の出力先及び、切替部１１３の入力先の切り替えを制御し、整流部１０４の出力を制御する制御部１０５と、を主要構成として備えている。
【００３７】
電気機器１０１は、電磁波が入力端１０６に入力するものとして以下に説明する。制御部１０５は、外部機器３０１からの第１の制御信号を信号線２０１を介して受信する。外部機器３０１は、電磁波を利用する電気機器であり、例えばＴＶ、携帯機器などが挙げられる。外部機器３０１は、使用条件によって、電磁波を利用する電気機器として利用する場合には、電磁波を外部機器３０１に直接入力する第１の制御信号を、電気機器として利用しない場合、例えばスリープモードなので待機状態にある場合は、電磁波を整流部１０４に入力する第１の制御信号を制御部１０５に出力する。ここで、制御部１０５は、信号線２０１を介して、切替部１０３の出力先の切り替えを制御する第１の制御信号を受信すると、第１の制御信号に従って切替部１０３の制御を実行する。第１の制御信号が、電磁波を外部機器３０１側に接続するという制御信号であれば、切替部１０３の出力先を第１の出力端１０７側に切り替える。第１の制御信号が、電磁波を整流部１０４側に接続するという制御信号であれば、切替部１０３の出力先を第２の出力端１０８側に切り替える。また、第１の制御信号が電磁波を外部機器３０１側に接続せず、又、整流部１０４側にも接続せずに整流部１０４に蓄積された電力を外部機器３０１側に供給するという制御信号であれば、切替部１０３の出力先をオープン端１１４側に切り替える。さらに制御部１０５は、信号線２０１を介して、切替部１１３の入力先の切り替えを制御する第３の制御信号を受信すると、第３の制御信号に従って切替部１１３の制御を実行する。第３の制御信号が、電磁波を外部機器３０１側に接続するという制御信号であれば、切替部１１３の入力先を入力端１１１側に切り替える。第３の制御信号が、整流部１０４の電力蓄積部に蓄積された電力を外部機器３０１側に供給するという制御信号であれば、切替部１１３の入力先を第３の出力端１０９に接続する入力端１１２側に切り替える。従って、切替部１０３，１１３は制御部１０５からの第１及び第３の制御信号に基づいて、入力する電磁波を外部機器３０１側および整流部１０４のいずれか一方に出力すると共に、アンテナ１０２より電磁波が入力されない場合であっても、整流部１０４に蓄積された電力を外部機器３０１側に出力することが可能となっている。また、外部機器３０１側に接続する切替部１１３を有することにより、外部機器３０１側への電磁波出力又は、ＤＣ電力出力を切替部１１３で切り替えて供給することにより、外部機器３０１に接続する第４の出力端１１０を共有化することが可能となっている。ここでは、電力蓄積部に電力が蓄積されているとして説明した。従って、第３の制御信号によって、切替部１１３の切替を実行し、電力蓄積部からのＤＣ電力を第４の端子１１０から出力可能とし、第２の制御信号によって、電力蓄積部からの電力を第３の端子１０９から出力することになる。
【００３８】
つまり、外部機器３０１に対して、電磁波の入力端１０６と第２の出力端１０８との接続を遮断するとともに入力端１０６と第１の出力端１０７とを接続し、且つ、入力端１１１と第４の出力端１１０とを接続して外部機器３０１に対して電磁波を出力する第１の出力モードと、電磁波の入力端１０６と第１の出力端１０７及び第２の出力端１０８との接続を遮断し、つまり、電磁波の入力端１０６と第４の出力端１１０との接続および電磁波の入力端１０６と第２の出力端１０８との接続を遮断し、且つ、入力端１１２と第４の出力端１１０とを接続して外部機器３０１に対して電力を出力する第３の出力モードとを、第１及び第３の制御信号を用いて切り替えることにより、外部機器３０１に電磁波又は電力を出力する電気機器として使用することも可能である。従って、切替部１０３、１１３を制御する第１及び第３の制御信号に基づいて、電磁波用途の外部機器３０１へ電磁波を出力するとともに、アンテナ１０２より電磁波が入力されない場合であっても、整流部１０４に蓄積された電力を外部機器３０１に出力可能な電気機器とすることが可能になっている。なお、外部機器３０１が出力する外部機器３０１の使用状態信号を制御部１０５が受信する場合は、使用状態信号に応じて制御部１０５が第１の制御信号を作成し出力しても良い。ここで、使用状態信号とは、外部機器３０１が待機状態にあるか電磁波用途の電気機器３０１として使用するかなどの外部機器３０１の状態を指す信号である。ここで、外部機器３０１はひとつとして説明したが、これに限るものではない。外部機器３０１が待機状態にある場合に外部機器３０１以外の第２の外部機器（図示せず）に第３の出力端子１０９からＤＣ電力を出力するように構成してもよい。
【００３９】
図５は本実施形態に於ける電気機器の第１の使用例を示す説明図である。図５に示すように外部機器３０１は、電気機器１０１と接続されて電磁波及び電力の供給を受けるための切替部２０２と、電気機器１０１側の動作を制御するための信号を出力する信号線２０１を有している。電気機器１０１は外部機器３０１に対して、信号線２０１と切替部１１３の出力端１１０を介して接続されており、切替部１１３の出力端１１０は、外部機器３０１の切替部２０２の入力端２０３に接続されている。
【００４０】
外部機器３０１から信号線２０１を通して受けた第１及び第３の制御信号が、外部機器３０１側に電磁波を出力するものであれば、電気機器１０１は、切替部１１３の出力端１１０より、外部機器３０１側の切替部２０２の入力端２０３に電磁波を出力する。外部機器３０１側では、切替部２０２を電磁波入力端２０４側に切り替えて、電磁波を受ける。また、外部機器３０１から信号線２０１を通して受けた第１及び第３の制御信号が、外部機器３０１側に電力を供給するものであれば、電気機器１０１は、切替部１１３の出力端１１０より、外部機器３０１側の切替部２０２の入力端２０３に整流部１０４の蓄電部にて蓄電していた電力を出力する。外部機器３０１側では、切替部２０２を電力入力端２０５側に切り替えて、電力供給を受ける。
【００４１】
図４は、本実施形態５に係る電気機器の概略構成を示す説明図である。図１と構成は同じであるが、図７に示すように、整流部１０４内にある電力蓄積部に蓄積された蓄積電力を検出する蓄積電力検出部が出力する蓄積電力情報が、電力蓄積部に有する二次電池がＤＣ電力供給可能である場合、制御部１０５は、第２の制御信号に基づいて、電力蓄積部の出力端４１３を第３の出力端１０９と接続する。また、制御部１０５は、電力蓄積部の出力端４１３を第３の出力端１０９と接続する（第４の出力モード）と同時に、第１の制御信号に基づいて、入力端１０６と第１の出力端１０７とを接続するとともに入力端子１０６と第２の出力端１０８との接続を遮断する。従って、切替部１０３の第１の出力端１０７から電磁波を、整流部１０４に接続された第３の出力端１０９から電力を、外部機器３０１に個別、若しくは同時に出力することが可能となっている。なお、外部機器３０１が出力する外部機器３０１の使用状態信号を制御部１０５が受信する場合は、使用状態信号に応じて制御部１０５が第１の制御信号を作成し出力しても良い。ここで、使用状態信号とは、外部機器３０１が待機状態にあるか電磁波用途の電気機器３０１として使用するかなどの外部機器３０１の状態を指す信号である。ここで、外部機器３０１はひとつとして説明したが、これに限るものではない。外部機器３０１以外の第２の外部機器（図示せず）に第３の出力端子１０９からＤＣ電力を出力するように構成してもよい。
【００４２】
図６は本実施形態に於ける電気機器の第２の使用例を示す説明図である。図６に示すように外部機器３０１は、電気機器１０１と接続されて電磁波及び電力の供給を受けるための電磁波入力端２０６と電力入力端２０７と、電気機器１０１側の動作を制御するための信号を出力する信号線２０１を有している。電気機器１０１は外部機器３０１に対して、信号線２０１と切替部１０３の第１の出力端１０７及び整流部１０４の第３の出力端１０９を介して接続されている。
【００４３】
外部機器３０１から信号線２０１を通して受けた第１の制御信号が、外部機器３０１側に電磁波を出力するものであれば、電気機器１０１は、切替部１０３の第１の出力端１０７より、外部機器３０１側の電磁波入力端２０６に電磁波を出力する。また、外部機器３０１から信号線２０１を通して受けた第２の制御信号が、外部機器３０１側に電力を供給するものであれば、電気機器１０１は、整流部１０４の第３の出力端１０９より、外部機器３０１側の電力入力端２０７に整流部１０４の蓄電部にて蓄電していた電力を出力する。さらに図７に於ける外部機器３０１と電気機器１０１との接続方式に於いては、外部機器３０１側は電気機器１０１側より、電磁波入力端２０６を介して電磁波を受けながら、電力入力端２０７を介して電気機器１０１の整流部１０４の蓄電部に蓄電されている電力のみの供給を同時に受けることが可能である。
【００４４】
本実施形態によれば、電磁波用途の外部機器３０１へ電磁波を出力するとともに、電磁波を電力としても利用することが可能な電気機器を提供することにより、電磁波を電力としても有効に利用することが可能となる。また、電磁波用途の外部機器３０１を使用していない場合に、電磁波用途の外部機器３０１の待機電力として、電磁波を利用することも可能である。さらに、外部機器３０１以外の外部機器にＤＣ電力を供給することも可能である。
【産業上の利用可能性】
【００４５】
電磁波を外部機器への電源として電力供給を行うこと等に利用する電気機器、電気システムに適用できる。
【符号の説明】
【００４６】
１０１  電気機器
１０２  アンテナ
１０３  切替部
１０４  整流部
１０５  制御部
１０６  入力端
１０７  第１の出力端
１０８  第２の出力端
１０９  第３の出力端
１１０  第４の出力端
１１１  入力端
１１２  入力端
１１３  切替部
１１４  オープン端
２０１  信号線
３０１  外部機器
１      二次電池
【図１】
2014195368.tif 000003
【図２】
2014195368.tif 000004
【図３】
2014195368.tif 000005
【図４】
2014195368.tif 000006
【図５】
2014195368.tif 000007
【図６】
2014195368.tif 000008
【図７】
2014195368.tif 000009